(57)【要約】【課題】給湯側から風呂追い焚き側に熱が回り込む構造において、同時燃焼時の結露の発生を抑制しつつ、風呂追い焚き側の燃焼の中断を減らして風呂追い焚きの効率低下を防ぐことのできる風呂給湯器を提供する。【解決手段】給湯用熱交換器２２と、給湯用熱交換器２２を加熱する給湯バーナ２１と、給湯用熱交換器２２とフィン２５等を介して熱的に繋がっている風呂追い焚き用熱交換器３２と風呂用熱交換器３２を加熱する風呂バーナ３１と、給湯バーナ２１と風呂バーナ３１に共通のガス比例弁４２とを有し、給湯と風呂追い焚きを同時使用する場合に、給湯側を優先して比例弁の開度を制御すると共に、風呂戻り温度と風呂バーナ２１の燃焼量にさらに給湯用熱交換器２２側から風呂追い焚き用熱交換器３２へ伝わる熱量を加味して、風呂追い焚き用熱交換器３２で結露するか否かを判定し、結露すると判定した場合に風呂バーナ３１へのガス供給を遮断する。【選択図】図１
2017122533.tif 000002
【特許請求の範囲】
【請求項１】
給湯用熱交換器と、
前記給湯用熱交換器を加熱する給湯バーナと、
前記給湯用熱交換器と熱的に繋がっている、風呂追い焚き用熱交換器と、
前記風呂追い焚き用熱交換器を加熱する風呂バーナと、
前記給湯バーナと前記風呂バーナに共通に設けられて、これらに供給するガス量を調整するための比例弁と、
前記給湯バーナにガスを供給するか否かを切り替える第１遮断弁と、
前記風呂バーナにガスを供給するか否かを切り替える第２遮断弁と、
前記風呂追い焚き用熱交換器への入水温度を検出する温度センサと、
風呂追い焚き時に、浴槽水を、前記風呂追い焚き用熱交換器を経由して循環させる循環ポンプと、
前記給湯バーナおよび前記風呂バーナの燃焼を制御する制御部と
を有し、
前記制御部は、給湯と風呂追い焚きを同時に行う場合に、給湯側を優先して前記比例弁の開度を制御すると共に、前記温度センサの検出温度と前記風呂バーナの燃焼量にさらに前記給湯用熱交換器側から前記風呂追い焚き用熱交換器へ伝わる熱量を加味して、前記風呂追い焚き用熱交換器で結露するか否かを判定し、結露すると判定した場合に前記第２遮断弁により前記風呂バーナへのガスの供給を遮断する結露防止制御を行う
ことを特徴とする風呂給湯器。
【請求項２】
前記制御部は、前記温度センサの検出温度と前記風呂バーナの燃焼量と前記給湯バーナの燃焼量に基づいて、前記結露の有無を判定する
ことを特徴とする請求項１に記載の風呂給湯器。
【請求項３】
前記制御部は、前記温度センサの検出温度と前記給湯バーナの燃焼量に基づいて、前記結露の有無を判定する
ことを特徴とする請求項１に記載の風呂給湯器。
【請求項４】
前記給湯バーナは、複数のサブバーナで構成されており、
前記第１遮断弁は、前記サブバーナのうち、燃焼ガスの供給を遮断するサブバーナの数および場所を選択でき、
前記制御部は、前記給湯バーナ全体の燃焼量を、前記比例弁の開度と、前記給湯バーナのうち燃焼ガスの供給を遮断するサブバーナの数および場所の切り替えによって制御し、
前記結露の有無の判定において、どの前記サブバーナが燃焼しているかを加味する
ことを特徴とする請求項２または３に記載の風呂給湯器。
【請求項５】
前記風呂追い焚き用熱交換器は、潜熱および顕熱を回収する潜熱回収型熱交換器である
ことを特徴とする請求項１乃至４のいずれか１つに記載の風呂給湯器。
【請求項６】
前記温度センサは、前記風呂追い焚き用熱交換器の顕熱回収部への入水温度を検出する
ことを特徴とする請求項５に記載の風呂給湯器。
【発明の詳細な説明】
【技術分野】
【０００１】
本発明は、給湯用のバーナと風呂追い焚き用のバーナに供給するガス量を共通の比例弁で制御する風呂給湯器に関する。
【背景技術】
【０００２】
風呂給湯器においては、燃焼ガスの供給量を調整するためのガス比例弁を給湯用バーナと風呂追い焚き用バーナに個別に設けることはコスト削減等の要請から行われず、通常、これらに対して共通のガス比例弁が設けられる。そして、給湯運転と風呂追い焚き運転が同時に行われて、給湯用バーナと風呂追い焚き用バーナを同時燃焼させるときは、給湯温度が目標温度になるように、給湯用バーナの燃焼量を優先してガス比例弁の開度が制御される。
【０００３】
給湯側優先により、同時燃焼時のガス比例弁の開度が小さく、かつ、浴槽から戻ってくる浴槽水の温度が低い場合には、風呂追い焚き用熱交換器の温度があまり上がらず、燃焼排気中の水分が風呂追い焚き用熱交換器に冷却されて結露が生じてしまう。
【０００４】
そこで、上記の結露を防止するための制御が各種提案されている。たとえば、下記特許文献１には、同時燃焼時に、風呂追い焚き用熱交換器から出る循環水の温度に基づいて結露の可能性を判定し、結露の可能性があると判定した場合に、風呂追い焚き用バーナの燃焼を一時的に中断させる技術が開示される。
【０００５】
また、下記特許文献２には、同時燃焼時に、風呂追い焚き用熱交換器への入水温度が所定温度より低く、かつ、ガス比例弁の開度が所定以下の場合に、風呂追い焚き用熱交換器を経由して浴槽水を循環させる循環ポンプの速度を下げて流量を減少させる制御が開示される。風呂追い焚き用熱交換器を流れる浴槽水の流量を下げることで、風呂追い焚き用熱交換器の温度低下を少なくして結露の防止を図っている。
【先行技術文献】
【特許文献】
【０００６】
【特許文献１】特開２００１−３３０９９号公報
【特許文献２】実開平２−１２４４４２号公報
【特許文献３】特許第４０７１２２４号
【発明の概要】
【発明が解決しようとする課題】
【０００７】
給湯用熱交換器を加熱するためのバーナを収める缶体（燃焼室）と、風呂追い焚き用熱交換器を加熱するためのバーナを収める缶体とを完全に分けて構成するとコストが嵩む。そこで、これらのバーナを共通の缶体の中の左右に分けて収め、それぞれの上方に給湯用熱交換器および風呂追い焚き用熱交換器を配置すると共に、給湯用熱交換器と風呂追い焚き用熱交換器のフィンを繋げた構成とし、該フィンより下方の缶体内を仕切り板で仕切って２つの燃焼室とする構造のものがある（たとえば、特許文献３参照）。
【０００８】
このような構造の燃焼室を用いた場合、給湯用バーナの燃焼による熱が、ある程度、風呂追い焚き用熱交換器に伝熱するので、同時燃焼させた場合に風呂追い焚き用熱交換器での結露の発生状況が従来と異なってくる。そのため、特許文献１に開示されたような基準で結露の可能性を判定すると、結露の発生までにまだ余裕があるにも関わらず風呂追い焚き用バーナの燃焼を中断してしまい、風呂の追い焚きの効率が必要以上に低下してしまう。
【０００９】
本発明は、上記の問題を解決するために成されたものであり、給湯側から風呂追い焚き用熱交換器に熱が回り込む構造において、同時燃焼時の結露の発生を抑制しつつ、風呂追い焚き側の燃焼の中断を減らして風呂の追い焚きの効率の低下を防ぐことのできる風呂給湯器を提供することを目的としている。
【課題を解決するための手段】
【００１０】
かかる目的を達成するための本発明の要旨とするところは、次の各項の発明に存する。
【００１１】
［１］給湯用熱交換器と、
前記給湯用熱交換器を加熱する給湯バーナと、
前記給湯用熱交換器と熱的に繋がっている、風呂追い焚き用熱交換器と、
前記風呂追い焚き用熱交換器を加熱する風呂バーナと、
前記給湯バーナと前記風呂バーナに共通に設けられて、これらに供給するガス量を調整するための比例弁と、
前記給湯バーナにガスを供給するか否かを切り替える第１遮断弁と、
前記風呂バーナにガスを供給するか否かを切り替える第２遮断弁と、
前記風呂追い焚き用熱交換器への入水温度を検出する温度センサと、
風呂追い焚き時に、浴槽水を、前記風呂追い焚き用熱交換器を経由して循環させる循環ポンプと、
前記給湯バーナおよび前記風呂バーナの燃焼を制御する制御部と
を有し、
前記制御部は、給湯と風呂追い焚きを同時に行う場合に、給湯側を優先して前記比例弁の開度を制御すると共に、前記温度センサの検出温度と前記風呂バーナの燃焼量にさらに前記給湯用熱交換器側から前記風呂追い焚き用熱交換器へ伝わる熱量を加味して、前記風呂追い焚き用熱交換器で結露するか否かを判定し、結露すると判定した場合に前記第２遮断弁により前記風呂バーナへのガスの供給を遮断する結露防止制御を行う
ことを特徴とする風呂給湯器。
【００１２】
上記発明では、給湯用熱交換器と風呂追い焚き用熱交換器は熱的に繋がっているので、同時燃焼時に給湯側の熱が風呂追い焚き側に伝熱する。そこで、給湯と風呂追い焚きを同時に行う場合には、風呂戻り温度と風呂バーナの燃焼量にさらに給湯用熱交換器側から風呂追い焚き用熱交換器へ伝わる熱量を加味して、風呂追い焚き用熱交換器で結露するか否かを判定する。熱的に繋がる例として、たとえば、給湯用熱交換器と風呂追い焚き用熱交換器のフィンが繋がっている場合や、缶体内を仕切る仕切り板や缶体そものもを介して伝熱する場合などがある。
【００１３】
［２］前記制御部は、前記温度センサの検出温度と前記風呂バーナの燃焼量と前記給湯バーナの燃焼量に基づいて、前記結露の有無を判定する
ことを特徴とする［１］に記載の風呂給湯器。
【００１４】
上記発明では、給湯用熱交換器側から風呂追い焚き用熱交換器へ伝わる熱量は給湯バーナの燃焼量に対応している。そこで、温度センサの検出温度と風呂バーナの燃焼量と給湯バーナの燃焼量に基づいて結露の有無を判定する。
【００１５】
［３］前記制御部は、前記温度センサの検出温度と前記給湯バーナの燃焼量に基づいて、前記結露の有無を判定する
ことを特徴とする［１］に記載の風呂給湯器。
【００１６】
上記発明では、風呂バーナの燃焼量は比例弁が共通のため給湯バーナの燃焼量から一義的に定まる。従って、風呂バーナの燃焼量と給湯用熱交換器側から風呂追い焚き用熱交換器へ伝わる熱量とは、給湯バーナの燃焼量に対応する。そこで、風呂戻り温度と給湯バーナの燃焼量とから結露の有無を推定する。
【００１７】
［４］前記給湯バーナは、複数のサブバーナで構成されており、
前記第１遮断弁は、前記サブバーナのうち、燃焼ガスの供給を遮断するサブバーナの数および場所を選択でき、
前記制御部は、前記給湯バーナ全体の燃焼量を、前記比例弁の開度と、前記給湯バーナのうち燃焼ガスの供給を遮断するサブバーナの数および場所の切り替えによって制御し、
前記結露の有無の判定において、どの前記サブバーナが燃焼しているかを加味する
ことを特徴とする［２］または［３］に記載の風呂給湯器。
【００１８】
上記発明では、同じ燃焼量であってもどのサブバーナが燃焼するか（風呂追い焚き用熱交換器に近いバーナか否か）によって給湯用熱交換器側から風呂追い焚き用熱交換器へ伝わる熱量が変わるので、結露の有無の判定において、どのサブバーナが燃焼しているかを加味する。
【００１９】
［５］前記風呂追い焚き用熱交換器は、潜熱および顕熱を回収する潜熱回収型熱交換器である
ことを特徴とする［１］乃至［４］のいずれか１つに記載の風呂給湯器。
【００２０】
［６］前記温度センサは、前記風呂追い焚き用熱交換器の顕熱回収部への入水温度を検出する
ことを特徴とする［５］に記載の風呂給湯器。
【００２１】
上記発明では、顕熱回収部での結露を防止するためには、顕熱回収部への入水温度に基づいて結露の有無を判定することが望ましい。
【発明の効果】
【００２２】
本発明に係る風呂給湯器によれば、給湯側から風呂追い焚き側に伝わる熱量を考慮に入れるので、同時燃焼時の結露の発生を抑制しつつ、風呂追い焚き側の燃焼の中断を減らして風呂の追い焚きの効率低下を防ぐことができる。
【図面の簡単な説明】
【００２３】
【図１】本発明の実施の形態に係る風呂給湯器の概略構成を示す図である。
【図２】本発明の実施の形態に係る風呂給湯器の分解斜視図および燃焼室の概略構成を示す図である。
【図３】給湯側の燃焼量（号数）とガス比例弁の開度との関係を示す図である。
【図４】相関データに基づく判定を示す図である。
【図５】本発明の実施の形態に係る風呂給湯器が行う燃焼制御に関する処理を示す流れ図である。
【発明を実施するための形態】
【００２４】
以下、図面に基づき本発明の実施の形態を説明する。
【００２５】
図１は、本発明の実施の形態に係る風呂給湯器１０の概略構成を示す図である。風呂給湯器１０は、給水を加熱して所定の出湯栓へ給湯する給湯機能、浴槽２へ注湯（湯張り）する注湯機能、浴槽２内の湯水（浴槽水）を追い焚きする風呂追い焚き機能などを備えている。
【００２６】
風呂給湯器１０は、燃焼ファン１１が送風する空気が下方から送り込まれ、上部に排気口１２を備えた縦長筒状の燃焼室１３を備えている。燃焼室１３は、内部が縦向きの仕切り板１４によって２室に仕切られており、その一方に給湯バーナ２１が配置され、他方に風呂バーナ３１が配置されている。給湯バーナ２１は、仕切り板１４に近い順に、バーナＡ、バーナＢ、バーナＣの３つで構成される。風呂バーナ３１は、１つのバーナで構成される。
【００２７】
給湯バーナ２１の上方には、該給湯バーナ２１からの熱で給水を加熱するための給湯用熱交換器２２が配置されている。風呂バーナ３１の上方には、風呂バーナ３１からの熱で浴槽水を加熱するための風呂用熱交換器３２が配置されている。
【００２８】
給湯用熱交換器２２は、主に排気の顕熱を回収する給湯用顕熱熱交換器２２ａと、排気の流れで給湯用顕熱熱交換器２２ａの下流に配置されて、主として排気の潜熱を回収する給湯用潜熱熱交換器２２ｂで構成される。
【００２９】
同様に、風呂用熱交換器３２は、主に排気の顕熱を回収する風呂用顕熱熱交換器３２ａと、排気の流れで風呂用顕熱熱交換器３２ａの下流に配置されて、主として排気の潜熱を回収する風呂用潜熱熱交換器３２ｂで構成される。
【００３０】
燃焼ガスの供給元に接続されるガス供給管４０の途中には、供給元からの燃焼ガスを遮断するか否かを切り替える元ガス電磁弁４１が設けられ、その下流には、給湯バーナ２１や風呂バーナ３１に供給する燃焼ガスの量を任意に調整するためのガス比例弁４２が設けてある。ガス供給管４０は、ガス比例弁４２の下流で４つに分岐し、分岐後の各ガス供給管４０は、給湯バーナ２１のバーナＡ、バーナＢ、バーナＣ、および風呂バーナ３１に至っている。
【００３１】
４つに分岐した後のガス供給管４０のそれぞれには、燃焼ガスの供給を遮断するためのガス電磁弁４３〜４６が設けてある。詳細には、ガス比例弁４２からバーナＡに向かうガス供給管４０の途中には第１給湯ガス電磁弁４３が、ガス比例弁４２からバーナＢに向かうガス供給管４０の途中には第２給湯ガス電磁弁４４が、ガス比例弁４２からバーナＣに向かうガス供給管４０の途中には第３給湯ガス電磁弁４５が、ガス比例弁４２から風呂バーナ３１に向かうガス供給管４０の途中には風呂ガス電磁弁４６が設けてある。
【００３２】
給水元から給水の供給を受ける給水管５０は、給湯用潜熱熱交換器２２ｂの入側に接続され、給湯用潜熱熱交換器２２ｂの出側は給湯用顕熱熱交換器２２ａの入側に接続され、給湯用顕熱熱交換器２２ａの出側には、出湯栓に通じる給湯管５１が接続されている。給湯用潜熱熱交換器２２ｂの入側に至る給水管５０の途中には、給水管５０を流れる給水の水量を検出する水量センサ５２が設けてあり、その下流隣には給水元からの給水量を調整(制限)するための水量サーボ５３が設けてある。水量サーボ５３の下流の所定箇所で給水管５０から分岐したバイパス管５４は、給湯管５１の所定箇所に合流し接続されている。給水管５０からバイパス管５４が分岐する箇所には、バイパス管５４側に流す給水量を調整するためのバイパスサーボ５５が設けてある。
【００３３】
給湯用顕熱熱交換器２２ａの出口とバイパス管５４の合流箇所との間の給湯管５１の所定箇所には、給湯用顕熱熱交換器２２ａから出て来る湯の温度を検出する熱交温度センサ５６が設けてあり、バイパス管５４の合流箇所より下流の給湯管５１の所定箇所には、給湯温度を検出する給湯温度センサ５７が設けてある。
【００３４】
風呂用熱交換器３２の風呂用潜熱熱交換器３２ｂの入側と、浴槽２に設けられた浴槽水取込口３の間は、風呂戻り管６０で接続されている。風呂用潜熱熱交換器３２ｂの出側は風呂用顕熱熱交換器３２ａの入側に接続され、風呂用顕熱熱交換器３２ａの出側は、浴槽２に設けられた浴槽水吐出口４に風呂往き管６１を通じて接続されている。
【００３５】
風呂戻り管６０の途中には、浴槽２内の浴槽水を風呂用熱交換器３２を経て循環させるための循環ポンプ６２が設けてある。更に循環ポンプ６２の下流側の風呂戻り管６０には、風呂戻り管６０に一定以上の湯水の流れがあるか否かを検出するための流水スイッチ６３が設けてある。
【００３６】
循環ポンプ６２のやや上流側の風呂戻り管６０には、浴槽２から取り込む浴槽水の温度を検出するための風呂戻り温度センサ６４が設けてある。風呂往き管６１の途中には、風呂往き管６１を通じて浴槽２に戻る浴槽水の温度を検出するための風呂往き温度センサ６５が設けてある。
【００３７】
さらに、風呂戻り温度センサ６４が設けられた箇所の近傍の風呂戻り管６０と給湯温度センサ５７が設けられた箇所の近傍の給湯管５１は連結管６６で接続されており、連結管６６の途中には、該連結管６６を開通状態と遮断状態とに切り替える注湯電磁弁６７と、風呂戻り管６０側から給湯管５１への逆流を防止するための逆止弁６８が介挿されている。
【００３８】
燃焼室１３の中には、給湯用潜熱熱交換器２２ｂ、風呂用潜熱熱交換器３２ｂの下方に配置されて、これらで生じたドレンを受け止めるドレン受け１５が設けて有り、ドレン受け１５で受け止めたドレンは回収管１６を通じて中和器１７に送られ、該中和器１７で中和された後、排出口から排出される。
【００３９】
このほか、風呂給湯器１０は、風呂給湯器１０の動作を制御する制御部を備えている。制御部には、使用者から各種の設定や運転の指示を受ける操作部および設定内容や運転状況を表示するための表示部を備えたリモートコントローラが接続される。制御部はＣＰＵ（Central Processing Unit）、ＲＯＭ（Read Only Memory）、ＲＡＭ（Random Access Memory）などを主要部とする回路で構成され、ＲＯＭに格納されたプログラムに従ってＣＰＵが各種の処理を実行することで風呂給湯器１０としての動作が実現される。
【００４０】
図２は、燃焼室１３の断面の概略および風呂給湯器１０の分解斜視図である。図２に示す燃焼室１３の断面では、給湯用熱交換器２２、風呂用熱交換器３２において潜熱熱交換器と顕熱熱交換器を区分けせずに簡略図示してある。給湯用熱交換器２２、風呂用熱交換器３２は、いずれも、給水や浴槽水が通る受熱管２４と、該受熱管２４の周囲に取り付けられた多数のフィン（受熱板）２５を備えている。給湯用熱交換器２２側のフィン２５と風呂用熱交換器３２側のフィン２５は共通化されて繋がっている。フィン２５には給湯用熱交換器２２と風呂用熱交換器３２の間の位置で下方から切り込みが設けてあり、仕切り板１４の上端はこの切り込みに挿入されて終端している。
【００４１】
給湯用熱交換器２２と風呂用熱交換器３２のフィン２５が繋がっているので、給湯バーナ２１を燃焼させた場合、フィン２５を通じて、給湯用熱交換器２２側の熱が、ある程度、風呂用熱交換器３２に伝わる構造になっている（図２の伝熱１）。また、缶体内を仕切る仕切り板１４を通じて給湯用熱交換器２２から風呂用熱交換器３２へ伝熱したり（図２の伝熱２）、受熱管２４が貫通している外側の銅製内胴を通じて伝熱したり（図２の伝熱３）する。このようにして給湯用熱交換器２２と風呂用熱交換器３２は熱的に繋がっている。
【００４２】
次に、風呂給湯器１０における給湯動作、注湯動作、風呂追い焚き動作、および給湯と風呂追い焚きの同時使用時の動作の概要を説明する。
【００４３】
＜給湯動作＞
出湯栓が開かれて給水管５０内に通水が生じると、該通水が水量センサ５２によって検出される。水量センサ５２が通水を検出すると、制御部は、給湯バーナ２１を点火し、該給湯バーナ２１で燃焼ガスを燃焼させる。給水元からの給水は、給湯用潜熱熱交換器２２ｂ、給湯用顕熱熱交換器２２ａを通る際に給湯バーナ２１からの排気の熱を受けて加熱され、さらにバイパス管５４からの給水と混合された後、出湯栓へ出湯される。制御部は、給湯温度センサ５７の検出する給湯温度が給湯設定温度になるように、給湯バーナ２１の燃焼量やバイパスサーボ５５の開度等を制御する。水量センサ５２が通水を検出しなくなると、給湯バーナ２１への燃焼ガスの供給を遮断して給湯バーナ２１の燃焼を停止させる。
【００４４】
給湯バーナ２１の燃焼量は、バーナＡ、バーナＢ、バーナＣのうちの１または複数個のどのバーナを燃焼させるかと、ガス比例弁４２の開度によって制御される。
【００４５】
図３は、給湯バーナ２１の燃焼量とガス比例弁４２の開度との関係を示している。要求される燃焼量がＦ１以下の範囲では、第１給湯ガス電磁弁４３、第３給湯ガス電磁弁４５は閉じ、第２給湯ガス電磁弁４４を開いてバーナＢのみを燃焼させ、かつその範囲内での燃焼量はガス比例弁４２の開度で調整する。
【００４６】
要求される燃焼量がＦ１を超えてＦ２以下の範囲では、第３給湯ガス電磁弁４５は閉じ、第１給湯ガス電磁弁４３、第２給湯ガス電磁弁４４を開いてバーナＡ、Ｂを燃焼させ、上記範囲内での燃焼量はガス比例弁４２の開度で調整する。
【００４７】
要求される燃焼量がＦ２を超える範囲では、第１給湯ガス電磁弁４３、第２給湯ガス電磁弁４４、第３給湯ガス電磁弁４５をすべて開いてバーナＡ、Ｂ、Ｃを燃焼させ、上記範囲内での燃焼量はガス比例弁４２の開度で調整する。
【００４８】
＜注湯動作＞
注湯動作は、リモートコントローラから、風呂の自動運転や注湯の指示を受けた場合に実行される。注湯動作では、制御部は、注湯電磁弁６７を開くと共に、給湯バーナ２１を点火して該給湯バーナ２１で燃焼ガスを燃焼させる。これにより、給水元からの給水は、給湯用潜熱熱交換器２２ｂ、給湯用顕熱熱交換器２２ａを通る際に給湯バーナ２１からの排気の熱を受けて加熱され、さらにバイパス管５４からの給水と混合された後、連結管６６を通じて風呂戻り管６０に流れ込み、該風呂戻り管６０および風呂往き管６１を通じて浴槽２に注湯される。
【００４９】
浴槽２が設定された水位になったら注湯動作は停止される。具体的には、注湯電磁弁６７を閉じると共に、給湯バーナ２１への燃焼ガスの供給を遮断して給湯バーナ２１の燃焼を停止させる。
【００５０】
＜風呂追い焚き動作＞
風呂追い焚き動作は、風呂の自動運転の指示に基づいて上記の注湯動作が行われて設定水位に湯張りされた後、浴槽２内の浴槽水の温度を風呂設定温度まで昇温させるとき、あるいは、風呂の自動運転中に浴槽２内の湯水を風呂設定温度に維持するために昇温するとき、あるいは、使用者から追い焚きの指示を受けた場合に実行される。
【００５１】
風呂追い焚き動作では、制御部は、循環ポンプ６２をオンにすると共に、風呂バーナ３１を点火して該風呂バーナ３１で燃焼ガスを燃焼させる。循環ポンプ６２の作用により、浴槽２内の浴槽水は、風呂戻り管６０に取り込まれ、該風呂戻り管６０、風呂用潜熱熱交換器３２ｂ、風呂用顕熱熱交換器３２ａ、風呂往き管６１を経て浴槽２に戻るように循環する。浴槽水は、風呂用潜熱熱交換器３２ｂ、風呂用顕熱熱交換器３２ａを通る際に風呂バーナ３１からの排気の熱を受けて昇温される。
【００５２】
＜給湯と風呂追い焚きの同時使用＞
給湯と風呂追い焚きの同時使用は、たとえば、風呂追い焚き動作中に、出湯栓が開かれて給湯する場合等に生じる。給湯と風呂追い焚きの同時使用では、ガス比例弁４２の開度は、給湯動作に基づいて（給湯側を優先して）制御される。すなわち、給湯設定温度で給湯するために必要な燃焼量で給湯バーナ２１が燃焼するように、ガス比例弁４２の開度が、図３の特性等に従って制御される。
【００５３】
このとき、ガス比例弁４２の開度が小さく、かつ、浴槽２から戻ってくる浴槽水の温度が低い場合には、風呂用熱交換器３２（特に、風呂用顕熱熱交換器３２ａ）の温度があまり上がらず、燃焼排気中の水分が風呂用顕熱熱交換器３２ａで結露する可能性がある。
【００５４】
そこで、本実施の形態に係る風呂給湯器１０は、給湯側と風呂側を同時燃焼させた場合に風呂用顕熱熱交換器３２ａで結露の可能性があるか否かを判定し、結露の可能性があると判定した場合に、風呂バーナ３１の燃焼を中断させる制御を行う。
【００５５】
この判定においては、図２で説明した、給湯用熱交換器２２側からフィン２５等を通じて風呂用熱交換器３２に伝わる熱量を考慮に入れる。すなわち、風呂戻り温度センサ６４の検出温度と風呂バーナ３１の燃焼量にさらに給湯用熱交換器２２側から風呂用熱交換器３２へ伝わる熱量を加味して、給湯用潜熱熱交換器２２ｂで結露するか否かを判定する。
【００５６】
具体的には、風呂戻り温度センサ６４の検出温度と風呂バーナ３１の燃焼量と給湯バーナ２１の燃焼量とに基づいて、結露の有無を判定する。
【００５７】
ここで、図３に示すように、給湯バーナ２１の燃焼量に対するガス比例弁４２の開度は一意に定まるので、給湯バーナ２１の燃焼量が定まれば、給湯バーナ２１とガス比例弁４２を共通使用する風呂バーナ３１の燃焼量も定まることになる。したがって、風呂戻り温度センサ６４の検出温度と給湯バーナ２１の燃焼量とに基づいて結露の有無を判定することは、風呂戻り温度センサ６４の検出温度と風呂バーナ３１の燃焼量と給湯バーナ２１の燃焼量とに基づいて結露の有無を判定することと等価になる。
【００５８】
ここでは、図４に示すように、風呂戻り温度センサ６４の検出温度（風呂戻り温度）と給湯バーナ２１の燃焼量（給湯側燃焼量）と結露の有無との関係を示すデータを、風呂戻り温度と給湯側の燃焼量を様々に変化させて予め求めておき、該データから、風呂戻り温度センサ６４の検出温度（風呂戻り温度）と給湯バーナ２１の燃焼量（給湯側燃焼量）とを入力値とし、結露の可能性の有無を出力値とするルックアップテーブル（相関データ）を作成しておく。
【００５９】
そして、該ルックアップテーブルに、現在の風呂戻り温度センサ６４の検出温度と制御部が設定している給湯バーナ２１の燃焼量とを入力し、その出力値から結露の有無を判定する。
【００６０】
なお、給湯バーナ２１の燃焼量に対して、バーナＡ、Ｂ、Ｃのどのバーナを燃焼させるかは予め定めてあるので、給湯バーナ２１の燃焼量からどのバーナが燃焼中かは一義的に定まる。従って、相関データは、どのバーナが燃焼しているかも加味したものになっている。
【００６１】
たとえば、図３に示すように、当初はバーナＢのみ、燃焼量がＦ１を超えるとバーナＢとＡ、Ｆ２を超えるとＡ＋Ｂ＋Ｃのように制御される場合と、当初はバーナＢのみ、燃焼量がＦ１を超えるとバーナＢとＣ、Ｆ２を超えるとＡ＋Ｂ＋Ｃのように制御される場合とでは、相関データの内容は異なるものになる。給湯バーナ２１の燃焼量とどのバーナを燃焼させるかが一義的に対応しない場合には、どのバーナを燃焼させているかを別のパラメータとして、結露の有無の判定要素に加えればよい。
【００６２】
また、給湯バーナ２１の燃焼量に応じて燃焼ファン１１の風量が変更されるが、給湯バーナ２１の各燃焼量に対する風量も一義的に定まっている。したがって、給湯バーナ２１の燃焼量をパラメータにすれば、結露の可能性の有無の判定において、燃焼ファン１１の風量も考慮したことになる。給湯バーナ２１の燃焼量と燃焼ファン１１の風量が一義的に定まらない場合は、燃焼ファン１１の風量を別のパラメータとして判定の要素に加えればよい。
【００６３】
図５は、風呂給湯器１０の制御部が行う燃焼制御の処理を示す流れ図である。給湯側、風呂側のいずれかから燃焼要求があるときにこの処理は実行される。同時燃焼の要求があるか否かを調べ（ステップＳ１０１）、同時燃焼の要求がなければ（ステップＳ１０１；Ｎｏ）、要求側の単独燃焼（前述の給湯動作、注湯動作、風呂追い焚き動作のいずれか）を行い、ステップＳ１０７へ移行する。
【００６４】
同時燃焼要求がある場合は（ステップＳ１０１；Ｙｅｓ）、風呂戻り温度センサ６４の検出温度（風呂戻り温度）と給湯バーナ２１の燃焼量（給湯側燃焼量）とを入力値として図４の相関データから結露の有無の判定結果を取得する（ステップＳ１０３）。
【００６５】
該判定結果が結露の可能性なしを示す場合は（ステップＳ１０４；Ｎｏ）、給湯バーナ２１と風呂バーナ３１を同時燃焼させて（ステップＳ１０５）、ステップＳ１０７へ移行する。
【００６６】
ステップＳ１０２で得た判定結果が結露の可能性ありを示す場合は（ステップＳ１０４；Ｙｅｓ）、風呂ガス電磁弁４６を遮断して風呂バーナ３１の燃焼をオフし、給湯バーナ２１側のみを燃焼させ（ステップＳ１０６）、ステップＳ１０７へ移行する。
【００６７】
ステップＳ１０７では、すべての燃焼要求がオフしているか否かを調べ、給湯側、風呂追い焚き側のいずれかの燃焼要求があれば（ステップＳ１０７；Ｎｏ）、ステップＳ１０１に戻って処理を継続する。すべての燃焼要求がオフならば（ステップＳ１０７；Ｙｅｓ）、本処理を終了する。
【００６８】
以上、本発明の実施の形態を図面によって説明してきたが、具体的な構成は実施の形態に示したものに限られるものではなく、本発明の要旨を逸脱しない範囲における変更や追加があっても本発明に含まれる。
【００６９】
実施の形態では、給湯バーナ２１、風呂バーナ３１として潜熱熱交換器と顕熱熱交換器を有するタイプを例示したが、顕熱熱交換器のみであっても本発明は適用される。
【００７０】
実施の形態では、結露の有無の判定材料として、風呂戻り温度センサ６４の検出温度を使用したが、風呂用熱交換器３２の風呂用潜熱熱交換器３２ｂを出てから風呂用顕熱熱交換器３２ａに入る前の浴槽水の温度を検出する温度センサを設け、該温度センサの検出温度を上記判定材料として使用してもよい。
【００７１】
実施の形態では、ルックアップテーブル形式の相関データを用いて結露の有無を判定したが、相関データに対応するような関数を定義できれば、該関数に、風呂戻り温度、給湯側燃焼量を入力し、該関数の演算結果から結露の有無を判定してもよい。
【符号の説明】
【００７２】
２…浴槽
３…浴槽水取込口
４…浴槽水吐出口
１０…風呂給湯器
１１…燃焼ファン
１２…排気口
１３…燃焼室
１４…仕切り板
１５…ドレン受け
１６…回収管
１７…中和器
２１…給湯バーナ（バーナＡ、Ｂ、Ｃ）
２２…給湯用熱交換器
２２ａ…給湯用顕熱熱交換器
２２ｂ…給湯用潜熱熱交換器
２４…受熱管
２５…フィン
３１…風呂バーナ
３２…風呂用熱交換器
３２ａ…風呂用顕熱熱交換器
３２ｂ…風呂用潜熱熱交換器
４０…ガス供給管
４１…元ガス電磁弁
４２…ガス比例弁
４３…第１給湯ガス電磁弁
４４…第２給湯ガス電磁弁
４５…第３給湯ガス電磁弁
４６…風呂ガス電磁弁
５０…給水管
５１…給湯管
５２…水量センサ
５３…水量サーボ
５４…バイパス管
５５…バイパスサーボ
５６…熱交温度センサ
５７…給湯温度センサ
６０…風呂戻り管
６１…風呂往き管
６２…循環ポンプ
６３…流水スイッチ
６４…風呂戻り温度センサ
６５…風呂往き温度センサ
６６…連結管
６７…注湯電磁弁
６８…逆止弁
【図１】
2017122533.tif 000003
【図２】
2017122533.tif 000004
【図３】
2017122533.tif 000005
【図４】
2017122533.tif 000006
【図５】
2017122533.tif 000007